(57)【要約】【課題】  ろ板間に生成したケーキの剥離性を良くするフイルタープレス用ろ布を提供する。【解決手段】フイルタープレス１において、ろ板５，５間に吊設するろ布１０のろ過面１０ａに筋状の剥離材２８を固着したもので、ろ布１０のろ過面１０ａに固着した剥離材２８・・・に当接するケーキが剥離してクラックし、小片に分割されて排出できる。開板途中にケーキが自重で落下しても、形崩れすることなく分割排出が可能となり、残渣を残すことなく排出でき、ろ布１０や吊設部材を損傷することがない。【選択図】      図４
2012157838.tif 000002
【特許請求の範囲】
【請求項１】
一対のガイドレール（４，４）に多数のろ板（５・・・）を開閉自在に並列し、ろ板（５，５）間にろ布（１０）を吊設してろ過室（１６）を形成し、ろ過室（１６）に生成したケーキをろ布（１０）から剥離させるフイルタープレスにおいて、
ろ布（１０）のろ過面（１０ａ）に剥離材（２８）を筋状に固着したことを特徴とするフイルタープレス用ろ布。
【請求項２】
上記剥離材（２８）を縦縞状に形成したことを特徴とする請求項１に記載のフイルタープレス用ろ布。
【請求項３】
上記剥離材（２８）を横縞状に形成したことを特徴とする請求項１または２に記載のフイルタープレス用ろ布。
【請求項４】
上記剥離材（２８）は、ろ過面（１０ａ）に樹脂を塗布したことを特徴とする請求項１乃至３の何れか１項に記載のフイルタープレス用ろ布。
【請求項５】
上記剥離材（２８）は、ろ過面（１０ａ）に低摩擦材を貼着したことを特徴とする請求項１乃至３の何れか１項に記載のフイルタープレス用ろ布。
【請求項６】
上記剥離材（２８）を山形状に突設させることを特徴とする請求項１乃至５の何れか１項に記載のフイルタープレス用ろ布。
【発明の詳細な説明】
【技術分野】
【０００１】
この発明は、フイルタープレスのろ板間に吊設するろ布に関し、ろ板間に生成したケーキの剥離性を良くするフイルタープレス用ろ布の改良に関する。
【背景技術】
【０００２】
従来、ろ過性の良い炭酸カルシウム、石灰などの無機質を多く含む原液を脱水すると、２０〜３０ｍｍの厚みのケーキが生成される。ろ過室に形成されたケーキは開板と同時にその自重で形崩れして、ケーキの大片がろ布の吊設部材に当接し、ろ布や吊設部材が損傷する恐れがある。又、有機物を含有する原液では、剥離性が悪くろ布に残渣が残る恐れがあり、ろ布が降下した状態でろ板が閉板し、ろ布の吊設部材を挟み込み、ろ布や吊設部材を損傷する恐れもある。
その対策として、ろ板の内壁面に格子状の突条を形成してダイアフラムを対設し、ダイアフラムが給圧された時に、ケーキを挟持する一対のろ布を接近または当接させるケーキ成形式フイルタープレスが、特許文献１に開示されている。そして、ダイアフラムのケーキ圧搾面にケーキを分割し得る複数条の突起部を設けた圧搾式圧ろ器も、特許文献２に開示されている。
【先行技術文献】
【特許文献】
【０００３】
【特許文献１】実公昭６１−２２６４７号公報（実用新案登録請求の範囲、図７及び図８）
【特許文献２】実開昭５０−５２５７８号公報（実用新案登録請求の範囲、図１及び図２）
【発明の概要】
【発明が解決しようとする課題】
【０００４】
従来、ろ板に吊設するろ布を走行させ、或はろ板に吊設するろ布を振動させてろ過室に生成したケーキを剥離するフイルタープレスは公知である。ろ板の内壁面に格子状の突条を形成し、或はダイアフラムのケーキ圧搾面に複数条の突起部を設けたフイルタープレスは、可撓性を有するろ布を突起部で押圧することにより、ケーキの分割排出が可能となるものである。しかし、ろ板或はダイアフラムの前面に吊設するろ布は耐圧性と強靭性を有しており、ろ布を突起部で屈曲させるための押圧力が余分に必要となる。また、突起部でろ布を繰返し屈曲させることにより、ろ布が早期に劣化して寿命が短くなる。さらに、ろ板或いはダイアフラムに突起部を形成するための金型変更等に手間と費用がかかる。
この発明は、直接ケーキに接触するろ布に剥離材を固着し、ケーキの剥離性を改善するフイルタープレス用ろ布を提供する。
【課題を解決するための手段】
【０００５】
この発明の要旨は、一対のガイドレールに多数のろ板を開閉自在に並列し、ろ板間にろ布を吊設してろ過室を形成し、ろ過室に生成したケーキをろ布から剥離させるフイルタープレスにおいて、ろ布のろ過面に剥離材を筋状に固着したもので、脱水後のケーキがろ布に固着しない領域を筋状に形成することによって、ケーキを分割排出するための剥離代を任意に設定でき、大片のケーキが落下することによる不具合を解消できる。
【０００６】
剥離材を縦縞状に形成すれば、ろ布から縦長状にケーキが分割剥離され、自重で剥離し易く、落下時の衝撃も緩和される。
また、剥離材を横縞状に形成すれば、ろ布から横長状にケーキが分割剥離され、剥離時に他方のろ布やろ板に当接し難く、周辺機器に損傷を与えることが無い。
【０００７】
剥離材として、ろ過面に樹脂を塗布すれば、ろ布の空隙により固液分離されず、塗布面で良好な剥離性を有するケーキを生成できる。
また、剥離材として、ろ過面に低摩擦材を貼着すれば、貼着面で良好な剥離性を有するケーキを生成できる。
剥離材を山形状に突設すれば、圧搾時に山形部でケーキ厚が薄くなり、自重等により分割が容易なケーキが生成でき、粘着性のあるケーキでも残渣を残すことなく排出できる。
【発明の効果】
【０００８】
この発明に係るフイルタープレス用ろ布は上記のように構成してあり、ろ板に吊設するろ布のろ過面に剥離材を筋状に固着すれば、剥離材の表面に生成されているケーキがひび割れし、ろ過室のケーキが分割されて排出できる。開板途中にケーキが自重で落下しても剥離材の表面で分割され、大片の落下によりろ布や吊設部材を損傷することがなく、ケーキを受ける排出コンベアーの負荷も軽減できる。ろ過面の全面でケーキを付着させることがないので、残渣を残すことがない。
【図面の簡単な説明】
【０００９】
【図１】この発明に係るフイルタープレスの概略側面図である。
【図２】同じく、ろ布を走行させてケーキを剥離するフイルタープレスのろ過室の縦断面図である。
【図３】同じく、ろ布を振動させてケーキを剥離するフイルタープレスのろ過室の縦断面図である。
【図４】同じく、ろ布の正面図（ａ）と、分割排出されるケーキの概念図（ｂ）である。
【図５】同じく、他の実施例のろ布の正面図（ａ）と、分割排出されるケーキの概念図（ｂ）である。
【図６】同じく、他の実施例のろ布の斜視図（ａ）と、分割排出されるケーキの概念図（ｂ）である。
【発明を実施するための形態】
【００１０】
本願発明の実施例を図面に基づき詳述すると、図１はガイドレールに支架したフイルタープレスの概略側面図であって、フイルタープレス１はフロントフレーム２とリアーフレーム３に一対のガイドレール４，４を橋架して多数のろ板５・・・を並列している。並列したろ板５・・・の後端部にムーバブルヘッド６を配設してリアーフレーム３に支架した締付シリンダー７に連結し、各ろ板５・・・を移行チェーン（図示せず）によって決められた所定の間隔で一斉に開板する。なお、開板装置（図示せず）によって各ろ板５・・・を順次開板してもよい。
【００１１】
図２はろ布を走行させてケーキを剥離するフイルタープレスのろ過室の縦断面図であって、ろ板５の上方部に駆動源に連設するスプロケット８と、ろ板５の下方部に一対のリターンロール９，９を配設してある。一対のろ布１０，１０の上端部に挿通した上部ろ布芯金１１がスプロケット８に掛け回した駆動チエーン１２の一端に連結してあり、ろ布１０，１０の下端部は一対のリターンロール９，９にそれぞれ遠ざかる方向に掛け回して、ろ板５の前後のろ過床５ａに吊設したろ布１０，１０の下端部の下部ろ布芯金１３を駆動チエーン１２の他端に連結した吊設金具１４に係止してある。駆動源に連設するスプロケット８を回動させて、開板したろ板５，５間に吊設するろ布１０を昇降自在としてある。なお、並列するろ板５・・・は、ろ板とダイアフラムろ板を交互に並列してもよいものである。
並列したろ板５・・・を閉板した時に、ろ布１０に吊設した給液板１５を前後のろ板５，５に挟持させ、ろ板５のろ過床５ａに吊設した一対のろ布１０，１０間にろ過室１６を形成させる。ろ板５の上方中央部に形成した原液供給路１７に給液板１５の原液通路１８を連通させて、ろ布１０，１０間のろ過室１６に原液を圧入して固液分離を行なう。脱水後、並列したろ板５・・・を開板し、一対のろ布１０，１０を下方に走行させる。ろ板５，５下方の一対のリターンロール９，９でそれぞれ遠ざかる方向に屈曲走行する際に、ろ布１０に付着したケーキは剥離される。なお、符号１９はろ布１０に洗浄水を噴射する洗浄ノズルである。
【００１２】
図３はろ布を振動させてケーキを剥離するフイルタープレスのろ過室の縦断面図である。なお、図２と共通する部品は同番号としている。ろ板５の肩部に立設した支持杆２０にスプリング２１が挿通してあり、支持杆２０に支持バー２２を揺動可能に支架してある。支持バー２２の両側端部に内側に折り曲げた複数のストッパー２３・・・が立設してあり、ろ布１０上端部に挿通している上部ろ布芯金１１をストッパー２３に係止して、ろ板５のろ過床５ａの前面にろ布１０を吊設する。なお、ろ布１０の下端部には重錘２４を挿通している。
脱水後、並列したろ板５・・・を開板し、ケーキが付着残存するろ布１０を吊設する支持バー２２を加振してろ布１０から残渣を剥離する。
【００１３】
図４はろ布の正面図（ａ）と、分割排出されるケーキの概念図（ｂ）であって、ろ板５，５間に吊設するろ布１０は、上端縁と下端縁に袋部２５，２６を形成し、それぞれ上部ろ布芯金１１及び下部ろ布芯金１３（あるいは重錘２４）を挿通してある。ろ布１０の上方中央部に通孔２７を開口し、通孔２７の下方近傍からろ布１０のろ過面１０ａに縦縞状に剥離材２８を固着してある。フイルタープレス１の大きさや原液の性状に応じて、剥離材２８の条数や幅は適宜選択できる。
剥離材２８としてろ過面１０ａに樹脂を塗布すれば、樹脂面上に形成されたケーキはろ布１０に付着しない。剥離材２８を筋状に形成しているので、ろ過面１０ａに付着しているケーキは、剥離材２８の筋に沿ってひび割れが発生し、筋に沿って小片に分割できる。また、ケーキが付着し難い低摩擦材をシート状に裁断し、ろ布１０のろ過面１０ａに貼着しても同様の効果が得られる。
縦縞状に剥離材２８を固着すると、ろ布１０に付着し易い剥離性の悪いケーキでも、ろ布１０への付着面積に対する上下方向の距離が長くなるので、自重により剥離しやすくなる。したがって、粘着性のあるケーキでも小さく分割されて、残渣を残すことなく排出できる。
【００１４】
図５は他の実施例のろ布の正面図（ａ）と、分割排出されるケーキの概念図（ｂ）であって、ろ過面１０ａに横縞状に剥離材２８を固着してある。
剥離性の良いケーキでは、開板時に自重でろ過面１０ａから剥離するものであるが、剥離材２８の筋に沿って分割するので、一斉に大片が落下することがない。ろ布１０や吊設部材を損傷することがなく、ケーキを受ける排出コンベアーの負荷も軽減できる。
横縞状に剥離材２８を固着すると、ろ布１０から横長状にケーキが分割剥離され、剥離性の良いケーキでも剥離材２８の筋に沿って分割するので、一斉に大片が落下することがない。したがって、剥離ケーキにより、ろ布１０や吊設部材を損傷させることがなく、ケーキを受ける排出コンベアーの負荷も軽減できる。
【００１５】
図６は他の実施例のろ布の斜視図（ａ）と、分割排出されるケーキの概念図（ｂ）であって、ろ過面１０ａに固着する剥離材２８を山形状に突設してある。ろ板５，５を閉板して圧搾すれば、ろ布１０，１０間に挟持されるケーキが、山形状の剥離材２８に沿って切断分割される。ろ板５，５を開板すれば分割された小片が剥離し、大容量のケーキでも残渣を残すことなく分割排出が容易となる。剥離材２８の突設高をケーキ厚より若干低く設定し、脱水後のケーキに厚みが薄い筋を形成させることで、分割し易くしてもよい。対設するそれぞれのろ布１０，１０に配設する場合は、同位置に突設しても筋条毎に交互に配設してもよい。また、どちらか一方のろ布１０に配設してもよい。突設高は、原液性状やケーキ厚により適宜選択できる。
【００１６】
上記の実施例の組み合わせでケーキの剥離性を良くするフイルタープレス用ろ布を構成してもよい。例えば、ろ過面１０ａに縦縞状と横縞状に樹脂を塗布するか、あるいは縦縞状に剥離材２８を突設して横縞状に低摩擦材を貼着することで、ケーキを格子状の小片に分割することができる。
【産業上の利用可能性】
【００１７】
この発明に係るフイルタープレス用ろ布は上記のように構成してあり、ろ板間に吊設するろ布のろ過面に筋状の剥離材を固着したもので、ろ板間を開板すれば、ろ布のろ過面に筋状に固着した複数の剥離材でろ布に挟持するケーキを分割し、形崩れすることなくろ過室の分割ケーキを排出でき、ろ布や吊設部材の損傷を防止して、ケーキを受ける排出コンベアーなどの負荷も軽減できる。また、ろ布に剥離材を固着するので、手間もコストもかからない。従って、この発明は、大容量のケーキの分割排出が可能となり、ろ過性の良い無機質を多く含むケーキだけでなく、粘着性のあるケーキでも残渣を残すことなく分割排出が容易となり、大型のフイルタープレス、及び多室型のフイルタープレスにも適用できる。
【符号の説明】
【００１８】
４  ガイドレール
５  ろ板
１０  ろ布
１０ａ  ろ過面
１６  ろ過室
２８  剥離材
【図１】
2012157838.tif 000003
【図２】
2012157838.tif 000004
【図３】
2012157838.tif 000005
【図４】
2012157838.tif 000006
【図５】
2012157838.tif 000007
【図６】
2012157838.tif 000008